(57)【特許請求の範囲】
【請求項１】
コンセント及びこのコンセントを収納する筐体を有するコンセント本体と、
このコンセント本体を取付対象である天板付家具の天板に取付けるためのベースと、
このベースに対して前記コンセント本体を当該コンセント本体の筐体の長手方向にスライド移動可能に結合するスライド手段、及び、前記筐体の一部を挟むことにより前記ベースに対して前記コンセント本体をスライド不能に固定するスライド位置固定手段を少なくとも有する結合機構とを具備し、
前記コンセント本体が前記ベースに対してコンセント支持体を介して取付けられるものであり、
前記結合機構が、前記コンセント本体の前記コンセント支持体に対する相対角度を複数の角度で固定し得る角度変更手段を有するコンセント装置であって、
前記スライド手段が、前記筐体の長手方向の一端部で前記ベースに前記コンセント支持体を介して取り付けられるようにし得るものであり、
前記角度変更手段が、前記コンセント本体の前記コンセント支持体に対する角度を、前記筐体の長手方向が天板面の面方向に沿った横向きの状態と、前記スライド手段によって前記筐体の一端部で前記ベースに取り付けられた前記横向きの状態から前記筐体の長手方向の他端部を前記天板面から離間するように動作させて前記筐体の長手方向を前記天板面の法線方向とした縦向きの状態とに適宜変更し得るものであることを特徴とするコンセント装置。
【請求項２】
前記角度変更手段が、レールの長手方向に沿って延びる対をなす内側面と、この内側面に当接する対をなす当接面とを有するものであり、
この当接面が、前記内側面に挿入される前記コンセント支持体に形成された突起の面である請求項１記載のコンセント装置。
【請求項３】
コンセント及びこのコンセントを収納する筐体を有するコンセント本体と、
このコンセント本体を取付対象に取付けるためのベースと、
このベースに対して前記コンセント本体をスライド移動可能に結合するスライド手段、及び、前記コンセント本体の一部を挟むことにより前記ベースに対して前記コンセント本体をスライド不能に固定するスライド位置固定手段を少なくとも有する結合機構とを具備し、
前記コンセント本体が前記ベースに対してコンセント支持体を介して取付けられるものであり、
前記結合機構が、前記コンセントが面する向きを変更せずに前記コンセント本体の前記コンセント支持体に対する相対角度を複数の角度で固定し得る角度変更手段と、前記コンセントが面する向きを変更可能に前記コンセント本体を支持する向き変更手段とを有するコンセント装置であって、
前記角度変更手段が、レールの長手方向に沿って延びる対をなす内側面と、この内側面に当接する対をなす当接面とを有するものであり、
この当接面が、前記内側面に挿入される前記コンセント支持体に形成された突起の面であることを特徴とするコンセント装置。
【請求項４】
前記スライド手段が、前記コンセント本体の背面側に設けられたレールと、前記コンセント支持体に取付けられ前記レールに沿って移動するスライダとを有するものである請求項１又は３記載のコンセント装置。
【請求項５】
前記スライド位置固定手段が、前記スライダを前記レールの内側面に圧接することにより前記コンセント支持体に対して前記コンセント本体をスライド不能に固定するものである請求項４記載のコンセント装置。
【請求項６】
前記スライダが、前記コンセントの背面側に接続される配線から退避するための退避部を有している請求項４または５記載のコンセント装置。
【請求項７】
前記ベースが取付対象である天板付家具の天板を挟持し得るクランプであり、前記結合機構が前記コンセント本体を前記天板の縁に沿ってスライド移動可能に支持するものである請求項１、２、３、４、５または６記載のコンセント装置。
【発明の詳細な説明】
【技術分野】
【０００１】
本発明は、デスク等に好適に適用されるコンセント装置に関するものである。
【背景技術】
【０００２】
従来、デスクをはじめとする取付対象へ付けることにより、取付対象に電源コネクタや、ＬＡＮコネクタ等を含む、いわゆるコンセントを位置付けることができるコンセント装置が種々提案されている（例えば、特許文献１参照）。これらのものを使用することにより、使用者は例えば、取付対象自体か、又はその近傍でノート型のパーソナルコンピュータを使用する場合には特に、電源ケーブルやＬＡＮコネクタ等を簡便に接続することができる。加えて、このコンセント装置を取付対象の所望の位置に取付けることによって、使用者の作業に都合が良いように、自由に取り回すことができるものとなっている。
【０００３】
しかしながら、ノート型パーソナルコンピュータを一時的に使用しない状態で当該ノート型パーソナルコンピュータを使用する箇所から別の場所へ退避させておくような場合や、取付対象を、複数の使用者がデスクを共有するようなフリーアドレスタイプのオフィスに適用される家具とする場合などは、配線の取り回しの態様も使用者の態様や使用者自身が変わることで頻繁に変化することが考えられる。そうなると、上記の特許文献１のようなものでは、使用者の態様や使用者自身が変わる毎に、コンセント装置を取付対象に頻繁に付け替え無ければならないか、あるいは配線の取り回しが使用者にとって所望のものとはならないといった事が考えられる。
【先行技術文献】
【特許文献】
【０００４】
【特許文献１】特許第３４７９０４２号公報
【発明の概要】
【発明が解決しようとする課題】
【０００５】
本発明は、使用者の態様や使用者自身が変わっても、所望の態様で配線を取り回すことができるコンセント装置を提供することを目的としている。
【課題を解決するための手段】
【０００６】
本発明は、このような目的を達成するために、次のような手段を講じたものである。
【０００７】
すなわち本発明に係るコンセント装置は、コンセント及びこのコンセントを収納する筐体を有するコンセント本体と、このコンセント本体を取付対象である天板付家具の天板に取付けるためのベースと、このベースに対して前記コンセント本体を当該コンセント本体の筐体の長手方向にスライド移動可能に結合するスライド手段、及び、前記筐体の一部を挟むことにより前記ベースに対して前記コンセント本体をスライド不能に固定するスライド位置固定手段を少なくとも有する結合機構とを具備し、前記コンセント本体が前記ベースに対してコンセント支持体を介して取付けられるものであり、前記結合機構が、前記コンセント本体の前記コンセント支持体に対する相対角度を複数の角度で固定し得る角度変更手段を有するコンセント装置であって、前記スライド手段が、前記筐体の長手方向の一端部で前記ベースに前記コンセント支持体を介して取り付けられるようにし得るものであり、前記角度変更手段が、前記コンセント本体の前記コンセント支持体に対する角度を、前記筐体の長手方向が天板面の面方向に沿った横向きの状態と、前記スライド手段によって前記筐体の一端部で前記ベースに取り付けられた前記横向きの状態から前記筐体の長手方向の他端部を前記天板面から離間するように動作させて前記筐体の長手方向を前記天板面の法線方向とした縦向きの状態とに適宜変更し得るものであることを特徴とする。
【０００８】
また本発明に係るコンセント装置は、コンセント及びこのコンセントを収納する筐体を有するコンセント本体と、このコンセント本体を取付対象に取付けるためのベースと、このベースに対して前記コンセント本体をスライド移動可能に結合するスライド手段、及び、前記コンセント本体の一部を挟むことにより前記ベースに対して前記コンセント本体をスライド不能に固定するスライド位置固定手段を少なくとも有する結合機構とを具備し、前記コンセント本体が前記ベースに対してコンセント支持体を介して取付けられるものであり、前記結合機構が、前記コンセントが面する向きを変更せずに前記コンセント本体の前記コンセント支持体に対する相対角度を複数の角度で固定し得る角度変更手段と、前記コンセントが面する向きを変更可能に前記コンセント本体を支持する向き変更手段とを有するコンセント装置であって、前記角度変更手段が、レールの長手方向に沿って延びる対をなす内側面と、この内側面に当接する対をなす当接面とを有するものであり、この当接面が、前記内側面に挿入される前記コンセント支持体に形成された突起の面であることを特徴とする。ここで、「コンセント」とは、単なる電源を取得するための電源コンセントに限られない。すなわち、ＬＡＮケーブルやＵＳＢケーブルといったオフィスで頻繁に使用され得る情報コンセントをも含む概念である。
【０００９】
このようなものであれば、使用者の態様が変わったり、また使用者自身が変わったりするような場合であっても、スライド手段によってコンセント本体を適宜スライドさせて所望の位置に位置付け、スライド位置固定手段によりコンセント本体を位置決めすることで、配線の取り回しを使用者に都合が良い所望のものとすることができる。
【００１０】
また、安定したスライド動作を実現するための具体的な構成として、スライド手段を、コンセント本体の背面側に設けられたレールと、コンセント支持体に取付けられレールに沿って移動するスライダとを有するものを挙げることができる。
【００１１】
上述したスライダを利用することで、部品点数の増加を回避しながら確実にコンセント本体のコンセント支持体に対する位置を固定するためには、スライド位置固定手段を、スライダをレールの内側面に圧接することにより前記コンセント支持体に対してコンセント本体をスライド不能に固定するものとすれば良い。
【００１２】
特に、スライド動作自体が配線の取り回しに干渉することを有効に回避するためには、スライダに、コンセントの背面側に接続される配線から退避するための退避部を設けておくことが好ましい。
【００１３】
スライド手段と角度変更手段とを単純な構成で両立させるための具体的な構成として、角度変更手段を、レールの長手方向に沿って延びる対をなす内側面と、この内側面に当接する対をなす当接面とを有するものとし、この当接面が、内側面に挿入されるコンセント支持体に形成された突起の面としておくことが好ましい。
【００１４】
また、結合機構を、コンセントが面する向きを変更可能に支持する向き変更手段を有するものとすれば、使用者がコンセントを差し込む向きを変更所望の向きに変更することにより、使用者にとっての配線の取り回しの選択肢が増えるのみならず、配線を接続する作業時にコンセントの向きを変更し、配線接続に係る作業も行ない易いものとなる。
【００１５】
そして、オフィスにおける天板上の配線の取り回しを行ない易くするとともに、コンセント本体自体が天板上にある他の物の邪魔にならないようにするためには、ベースを取付対象である天板付家具の天板を挟持し得るクランプとし、結合機構を、コンセント本体を天板の縁に沿ってスライド移動可能に結合するものとすることが望ましい。
【発明の効果】
【００１６】
本発明によれば、スライド手段によってコンセント本体を適宜スライドさせて所望の位置に位置付け、スライド位置固定手段によりコンセント本体を位置決めすることで、配線の取り回しを使用者に都合が良い所望のものとすることができるコンセント装置を提供することができる。
【図面の簡単な説明】
【００１７】
【図１】本発明の一実施形態に係る外観図。
【図２】同実施形態に係る他の外観図。
【図３】同側面図。
【図４】図３の一部を破断して示す構成説明図。
【図５】同実施形態に係る要部を示す斜視図。
【図６】同分解斜視図。
【図７】同構成説明図。
【図８】同実施形態に係る図２に対応させた動作説明図。
【図９】同上。
【図１０】同上。
【発明を実施するための形態】
【００１８】
以下、本発明の一実施の形態について図面を参照して説明する。
【００１９】
本実施形態に係るコンセント装置Ａは、図１に示すように、例えばオフィス内に配置された取付対象である天板付家具、すなわちデスクＤの天板Ｄ１の縁部に取付けて使用するものである。同図では当該コンセント装置Ａを使用する一例として、天板Ｄ１の反使用端側に配線ダクトＤ２を設けたタイプのデスクＤに適用した態様を示している。この場合、コンセント装置Ａの背面側から延出する配線は、そのまま配線ダクトＤ２内に収容される。
【００２０】
ここで、本実施形態に係るコンセント装置Ａは、コンセント１０及びこのコンセント１０を収納する筐体１１を有するコンセント本体１と、このコンセント本体１を取付対象であるデスクＤに取付けるためのベースたるクランプ３と、このクランプ３に対してコンセント本体１をスライド移動可能に結合するスライド手段Ｘ１、及び、前記クランプ３に対して前記コンセント本体１をスライド不能に固定するスライド位置固定手段Ｘ２を少なくとも有する結合機構Ｘとを具備することを特徴とするものである。本実施形態では、このコンセント装置Ａは、コンセント本体１がベースたるクランプ３に対してコンセント支持体２を介して取付けられるものとしている。
【００２１】
以下、図１ないし図７を参照し、本実施形態に係るコンセント装置Ａの各部の構成について説明する。
【００２２】
コンセント本体１は、同図に示すように、コンセント１０と、コンセント１０を収容するための筐体１１と、筐体１１の背面側にて当該筐体１１内を筐体１１の長手方向にスライドするスライダ１２とを有している。
【００２３】
コンセント１０は、本実施形態では電源コンセント１３と情報コンセント１４とを有している。これらコンセント１０の前面板部１０ａは、電源コンセント１３と情報コンセント１４とで、略面一となるように配置されている。そして電源コンセント１３は、前面板部１０ａ側に表出する、例えば電源プラグが横方向に二つ接続可能な電源コネクタ１３ａと、筐体１１の背面側且つ側端においてスリット１８から外部に案内される電源ケーブル１３ｂと、この電源ケーブル１３ｂの先端において図示しない電源プラグとを有している。情報コンセント１４は、本実施形態ではプリンタ等の周辺機器と接続するためのＵＳＢコネクタ１４１と、ネットワークに接続するためのＬＡＮコネクタ１４２とを有している。ＵＳＢコネクタ１４１並びにＬＡＮコネクタ１４２を使用する際には、図３、図５で実線、図７にて想像線に示されるような別体のＵＳＢケーブル、並びに図７で想像線で示される別体のＬＡＮケーブルに筐体１１の背面側から接続される。
【００２４】
筐体１１は、上述したコンセント１０を収容するためのコンセント収容部１５と、背面側の上下に形成されたレール１６と、レール１６のさらに背面側且つ後面部１１ａに連続する位置に形成された互いに面した対をなす内側面１７と、背面側両側端にてコンセント収容部１５と外部とを連通するためのスリット１８とを有している。コンセント収容部１５は、本実施形態では電源コネクタ１３ａ、ＵＳＢコネクタ１４１及びＬＡＮコネクタ１４２をそれぞれ一つずつ収容し得る容積を有したものとしている。勿論、製造時のコンセント１０の組み付け内容を変更することにより、電源コネクタ１３ａを二つ収容する態様や、情報コンセント１４のうちＬＡＮコネクタ１４２のみを収容する態様をとることも可能である。レール１６は、本実施形態ではスライダ１２の上下端をスライド移動可能に収容する対をなす溝形状の態様を採用している。このレール１６は、背面側に位置する立面を、調節ねじ２２の操作によるスライダ１２の圧接面１２ａに圧接されるための被圧接面１６ａとしている。またこのレール１６は、スライダ１２とともに本発明に係るスライド手段Ｘ１、並びに、スライダ１２、コンセント支持体２とともに本発明に係るスライド位置固定手段Ｘ２を構成するが、これらについては後に詳述する。内側面１７は、この被圧接面１６ａと後面部１１ａとの間に位置する互いに面する対をなす面である。換言すれば、対をなす内側面１７は、レール１６の長手方向に沿って延びるものである。この内側面１７間に後述する支持体本体２０の突起２４を挟み込ませ当接面２４ａを当接させることにより、筐体１１とコンセント支持体２との相対角度を決定する。これにより、内側面１７と突起２４の当接面２４ａとが本発明に係る後述する角度変更手段Ｘ３を構成する。スリット１８は、筐体１１の背面側の両側に形成された筐体１１の厚み方向略全域に亘って延びるものであり、電源コネクタ１３ａに接続された電源ケーブル１３ｂを筐体１１外方へと案内する為のものである。筐体１１の両側にスリット１８を設けることにより、筐体１１の何れの位置に電源コンセント１３を位置付けても、電源ケーブル１３ｂを何れかのスリット１８から好適に外部へ案内することができる。
【００２５】
スライダ１２は、本実施形態では長手寸法がレール１６の長手寸法の半分よりも若干長い寸法に設定された例えば金属製の板材からなるものであり、上下端をレール１６内に収容されることにより、レール１６に沿ってスライドし得るものである。このスライダ１２は、レール１６の被圧接面１６ａに圧接し得る圧接面１２ａと、調節ねじ２２に螺合される雌ねじ部１２ｂと、前記コンセント１０の背面側に接続される配線から退避するための退避部１２ｃ、すなわち、図３、図５で実線、図７にて想像線に示されるような別体のＵＳＢケーブル、並びに図７で想像線で示される別体のＬＡＮケーブルから退避するための退避部１２ｃとを有している。具体的には、雌ねじ部１２ｂが調節ねじ２２の雄ねじ部２２ｂに螺合し、締結される際に、圧接面１２ａが被圧接面１６ａに圧接することにより、スライダ１２及びコンセント支持体２に対するコンセント本体１のスライド位置を位置決めする、本発明に係るスライド位置固定手段Ｘ２の役割の一部を担っている。そして、退避部１２ｃは、筐体１１の長手寸法の約半分の寸法に亘ってスライダ１２を長手方向に切り欠いた形状をなしている。これにより、スライダ１２の全ての動作範囲において、スライダ１２が筐体１１の背面側に接続する配線に干渉することがない。
【００２６】
コンセント支持体２は、例えば中実の金属素材を一体成形したものであり、上半分の部分をコンセント本体１を取付けるための支持体本体２０とするとともに、下半分の部分をクランプ３に固定されるための被固定部２１としている。そしてコンセント支持体２はさらに、コンセント本体１を固定するための調節ねじ２２と、クランプ３及び被固定部２１とを接続するためのピン２８とを有している。
【００２７】
支持体本体２０は、調節ねじ２２を挿通させるためのねじ挿通孔２３と、前方に突出させた突起２４と、突起２４の周辺において筐体１１の後面部１１ａに当接し得る前向面２５とを有している。突起２４は、一辺が内側面１７間と略同一寸法か、僅かに小さい寸法をなす正方形状に突出し、その突出した周囲の面を内側面１７に当接し得る当接面２４ａとしている。
【００２８】
被固定部２１は、クランプ３の固定部３４側に挿入し得る挿入部２６と、クランプ３側に固定されたピン２８を挿通し得る長孔であるピン挿通孔２７とを有している。挿入部２６は、固定部３４側に挿入された状態で前面２６ａと後面２６ｂとがそれぞれ固定部３４側に当接することにより、コンセント支持体２を起立させた図３に実線で示す状態をなし、同図に想像線で示すようにコンセント支持体２を背面側に傾倒させた状態では後面２６ｂが固定部３４側に上方から当接し、その状態が維持される。ピン挿通孔２７は、長孔とすることにより、長孔の長手寸法だけ支持体本体２０を上下方向に動作させ得るようにしている。この長孔の長手寸法は、固定部３４側の被挿入部３６の後ろ側の深さ寸法に略対応させている。これにより、ピン挿通孔２７がピン２８を挿通させた状態で、挿入部２６の被挿入部３６からの挿抜が可能となっている。
【００２９】
調節ねじ２２は、先端部分をスライダ１２側に螺合させることによってスライダ１２を前後方向に進退させることにより、コンセント本体１のスライド動作、スライド位置の固定動作、そしてコンセント本体１の角度の変更動作を行なう為のものである。この調節ねじ２２は、使用者の手指によって回転操作されるためのつまみ部と、摘み部の先端側にねじ挿通孔２３に挿通するとともにスライダ１２の雌ねじ部１２ｂに螺合することによって、スライダ１２を前後方向にねじ送りさせるための雄ねじ部２２ｂとを有している。
【００３０】
クランプ３は、下部においてデスクＤの天板Ｄ１に取付ける為のクランプ本体３０と、上部においてコンセント支持体２を固定するための固定部３４とを有している。クランプ本体３０は、下向面３２と挟持板３３とで天板Ｄ１の縁部を挟持した状態で固定ねじ部３１を回転させることにより、天板Ｄ１の縁部に取付ける態様をなす既存のものである。勿論、このクランプ本体３０の構成は、図示の態様に限定されることはなく、既存の種々の構成を適用することが可能である。
【００３１】
固定部３４は、ピン２８を固定することによってピン２８と共にコンセント支持体２を回転可能に支持するためのピン固定孔３５と、挿入部２６を挿入させることによってコンセント支持体２を起立させた状態で固定するために上下方向に凹ませた形状をなす被挿入部３６と、被挿入部３６の背面側において背面側に傾倒させたコンセント支持体２を支持するための上向面３７とを有している。ピン固定孔３５は、ピン２８の中央部を略隙間無く収容することにより、ピンの両端が挿入部２６を上下動作並びに回転動作可能に支持し得るようにするものである。被挿入部３６は、前後方向に面した立面である前後面部３６ａが挿入部２６を挟み込むことによって、換言すれば前後面部３６ａが前面２６ａ及び後面２６ｂにそれぞれ当接することによって、挿入部２６を固定するものである。上向面３７は、挿入部２６を背面側に傾倒させた際に挿入部２６の後面２６ｂに当接することにより、ピン挿通孔２７にピン２８の両端を挿通させた状態にある挿入部２６を傾倒させた状態に保持するものである。
【００３２】
しかして本実施形態に係るコンセント装置Ａは上述の通り、クランプ３に対してコンセント本体１をコンセント支持体２を介して結合する、本発明に係る結合機構Ｘを有するものである。具体的には、斯かる結合機構Ｘは、クランプ３に対してコンセント本体１をスライド移動可能に結合するスライド手段Ｘ１と、クランプ３に対して前記コンセント本体１をスライド不能に固定するスライド位置固定手段Ｘ２と、コンセント本体１の前記コンセント支持体２に対する相対角度を複数の角度で固定し得る角度変更手段Ｘ３と、コンセント１０が面する向きを変更可能に支持する向き変更手段Ｘ４とを有している。
【００３３】
以下、図２ないし図４及び図８ないし図１０を参照して結合機構Ｘに係る各動作について説明する。
【００３４】
スライド手段Ｘ１は、図４及び図８に示すように、コンセント本体１をコンセント支持体２に対しスライド可能に結合するものである。具体的には、スライド手段Ｘ１は、図４に示すように支持体本体２０が調節ねじ２２を介して取付けたスライダ１２をレール１６内でスライドさせることにより、コンセント本体１をコンセント支持体２に対しスライド可能に結合するものである。これにより、コンセント本体１は図８に示すように天板Ｄ１の縁に沿ったスライド移動が可能となっている。すなわち本実施形態に係るスライド手段Ｘ１は、スライダ１２を固定する支持体本体２０と、スライダ１２と、レール１６とによって構成されているものである。
【００３５】
スライド位置固定手段Ｘ２は、図４及び図８に示すように、コンセント本体１を支持体に対してスライド不能に固定するものである。すなわち、図４に示した状態で調節ねじ２２を回すことにより雄ねじ部２２ｂに螺合する雌ねじ部１２ｂを有したスライダ１２が筐体１１の背面側にねじ送りされることにより、スライダ１２の圧接面１２ａがレール１６の被圧接面１６ａを圧接し、且つ、筐体１１の後面部１１ａが支持体本体２０の前向面２５に押し付けられることで、筐体１１の一部がスライダ１２及び支持体本体２０に厚み方向に挟まれる。これにより、コンセント支持体２に対するコンセント本体１のスライド位置が固定される。すなわちスライド位置固定手段Ｘ２は、スライダ１２と、レール１６と、支持体本体２０と、調節ねじ２２とによって構成されるものである。
【００３６】
角度変更手段Ｘ３は、図２、図４及び図９に示すように、コンセント本体１のコンセント支持体２に対する角度を、天板Ｄ１面の面方向に沿った横向きの状態と、天板Ｄ１面の法線方向である縦向きの状態とに適宜変更し得るものである。具体的には、図４に示す状態から、調節ねじ２２を緩めていくと、突起２４が内側面１７から抜け出る位置まで支持体本体２０と筐体１１とが離間する。その状態から筐体１１を９０°回転させ、今度は調節ねじ２２を締めていけば、筐体１１は図９に示す状態で再び突起２４の当接面２４ａが内側面１７に当接し、支持体本体２０に対する筐体１１の回転が禁止される。すなわち本実施形態に係る角度変更手段Ｘ３は、突起２４を有する支持体本体２０と、内側面１７を有する筐体１１と、筐体１１と支持体本体２０との距離を決定する調節ねじ２２及びスライダ１２とによって構成されているものである。
【００３７】
向き変更手段Ｘ４は、図２、図３及び図１０に示すように、クランプ３に対するコンセント支持体２の向きを変更することにより、コンセント１０の向きを天板Ｄ１面の面方向に沿った横向きの状態と、同図に示す上向きの状態とに変更し得るものである。具体的には、図２及び図３に実線で示すような、挿入部２６を被挿入部３６に挿入した状態から挿入部２６を一時的に持ち上げることにより挿入部２６をピン挿通孔２７の上下寸法だけ上昇させた図３中央に想像線で示す状態とする。しかる後、ピン２８を中心に挿入部２６を背面側に倒し、挿入部２６の後面２６ｂを固定部３４の上向面３７に当接させる。これにより、図３では想像線で、並びに図１０に示すような、コンセント１０を上向きとした状態とするものである。すなわち、この向き変更手段Ｘ４は、コンセント支持体２の被固定部２１と、クランプ３の固定部３４とによって構成されているものである。
【００３８】
以上のような構成とすることにより、本実施形態に係るコンセント装置Ａは、使用者の作業の態様が変わったり、また使用者自身が変わったりするような場合であっても、スライド手段Ｘ１及び角度変更手段Ｘ３によってコンセント本体１を適宜スライドさせて所望の位置に位置付け、スライド位置固定手段Ｘ２によりコンセント本体１を位置決めすることで、配線の取り回しを使用者に都合が良い所望の状態にし得るものとなっている。
【００３９】
また本実施形態では、安定したスライド動作を実現するために、コンセント本体１をクランプ３に対してコンセント支持体２を介して取付けるものとし、スライド手段Ｘ１を、コンセント本体１の背面側に設けられたレール１６と、コンセント支持体２に取付けられレール１６に沿って移動するスライダ１２とを設けたものとしている。
【００４０】
そして本実施形態では、スライド位置固定手段Ｘ２を、スライダ１２をレール１６の内側面１７に圧接することによりコンセント支持体２に対してコンセント本体１をスライド不能に固定するものとすることにより、スライダ１２をそのまま利用しながら部品点数の増加を回避しつつ、確実にコンセント本体１のスライド位置を固定している。
【００４１】
特に本実施形態では、スライダ１２に、コンセント１０の背面側に接続される配線から退避するための退避部１２ｃを設けることにより、スライド動作自体が配線の取り回しに干渉することを回避している。
【００４２】
さらに本実施形態では結合機構Ｘが、上述のスライド手段Ｘ１、スライド位置固定手段Ｘ２に加え、角度変更手段Ｘ３を有するものとなっている。これにより、使用者の配線の取り回しの選択肢を有効に増やすことができ、使用者がより所望の配線の取り回しを実現し得るものとなっている。
【００４３】
そして、スライド手段Ｘ１と角度変更手段Ｘ３とを単純な構成で両立させるための具体的な構成として本実施形態では角度変更手段Ｘ３を、レール１６の長手方向に沿って延びる対をなす内側面１７と、この内側面１７に当接する対をなす支持体本体２０に設けた突起２４の当接面２４ａとしている。
【００４４】
さらに本実施形態では向き変更手段Ｘ４をさらに設けることで使用者が電源プラグ等を差し込む向きを変更所望の向きに変更することができ、さらに配線の取り回しの選択肢が増えるのみならず、配線を接続する作業時にコンセント１０の向きを変更し、配線接続に係る作業も行ない易いものとなっている。特に、スライド手段Ｘ１、スライド位置固定手段Ｘ２及び向き変更手段Ｘ４がコンセント本体１とコンセント支持体２との間で設けられているのに対し、本実施形態では向き変更手段Ｘ４をベースたるクランプ３とコンセント支持体２との間に設けている。これにより、向き変更手段Ｘ４は、スライド手段Ｘ１、スライド位置固定手段Ｘ２並びに向き変更手段Ｘ４の動作に干渉することなく、安定して動作させ得るものとなっている。
【００４５】
そして本実施形態では、ベースたるクランプ３を天板Ｄ１の縁部に取付け得るものとし、スライド手段Ｘ１がコンセント本体１が天板Ｄ１の縁部に沿ってスライド動作し得るものとなっている。これにより、天板Ｄ１上の配線の取り回しを行ない易くするとともに、コンセント本体１自体が天板Ｄ１上において他の物の邪魔にならないようになる。つまり、天板Ｄ１上のスペースを有効に利用しながら、所望の配線の取り回しを実現し得るものとなっている。
【００４６】
以上、本発明の実施形態について説明したが、各部の具体的な構成は、上述した実施形態のみに限定されるものではなく、本発明の趣旨を逸脱しない範囲で種々変形が可能である。
【００４７】
例えば、上記実施形態では筐体内に電源コネクタ２つ及びＵＳＢコネクタとＬＡＮコネクタとを１つずつ収容し得る大きさ、換言すれば、電源コネクタが都合４つ並び得る長さの態様を開示したが、勿論、さらに大きな筐体を有するものであったり、また例えば電源コネクタ２つを収容し得るようにしたものであったりしてもよい。また勿論、製造工程においてこれら電源コンセント及び情報コンセントの数や配置を適宜工夫することによって、種々のバリエーションのコンセント装置を提供することができる。また、上記実施形態では突起の形状を正方形にすることによりコンセント本体の角度を９０°変更し得る角度変更手段を開示したが、勿論、正八角形や正六角形として４５°や６０°変更し得るものとするなど、変更する角度は種々設定することが可能である。また他にもコンセント本体やコンセント支持体、或いはクランプであるベースの具体的な態様は上記実施形態のものに限定されることはなく、既存のものを含め、種々の態様のものを適用することができる。
【００４８】
その他、各部の具体的構成についても上記実施形態に限られるものではなく、本発明の趣旨を逸脱しない範囲で種々変形が可能である。
【産業上の利用可能性】
【００４９】
本発明はデスク等に好適に適用されるコンセント装置として利用することができる。
【符号の説明】
【００５０】
１…コンセント本体
１０…コンセント
１１…筐体
１２…スライダ
１２ｃ…退避部
１６…レール
１６ａ…レールの内側面（被圧接面）
１７…内側面、
２…コンセント支持体
２４…突起
２４ａ…当接面
３…ベース（クランプ）
Ａ…コンセント装置
Ｘ…結合機構
Ｘ１…スライド手段
Ｘ２…スライド位置固定手段
Ｘ３…角度変更手段
Ｘ４…向き変更手段
Ｄ…取付対象、天板付家具（デスク）
【図１】
0005629915.tif 000002
【図２】
0005629915.tif 000003
【図３】
0005629915.tif 000004
【図４】
0005629915.tif 000005
【図５】
0005629915.tif 000006
【図６】
0005629915.tif 000007
【図７】
0005629915.tif 000008
【図８】
0005629915.tif 000009
【図９】
0005629915.tif 000010
【図１０】
0005629915.tif 000011